(57)【特許請求の範囲】
【請求項１】
旧ウェブロールから送り出されたウェブを新ウェブロールに押圧して、該旧ウェブロールと該新ウェブロールとを接合する押圧ロールと、
該接合部よりもウェブ搬送方向上流側で該旧ウェブロールから送り出されたウェブを切断するウェブ切断手段と、
該ウェブ切断手段よりもウェブ搬送方向上流側に設けられ、該旧ウェブロールから送り出された該ウェブを該ウェブ切断手段に近接させるガイドロールとをそなえ、
該旧ウェブロールの下引き時におけるウェブ切断時に、該旧ウェブロールから該押圧ロールヘのウェブパスラインが、該旧ウェブロールの上引き時の該旧ウェブロールから該押圧ロールヘのウェブパスラインと重なるように、該ガイドロールによって該ウェブを該ウェブ切断手段側に押し込む
ことを特徴とする、紙継ぎ装置。
【請求項２】
紙継ぎ時に該接合部よりもウェブ搬送方向下流側において該ウェブの両面を押圧することによって、紙継ぎ時に発生する該ウェブの弛みを該押圧箇所よりもウェブ搬送方向下流側に伝えないように構成されている
ことを特徴とする、請求項１記載の紙継ぎ装置。
【請求項３】
紙継ぎ時に該接合部よりもウェブ搬送方向下流側において該ウェブの両面を一対のローラのニップにより押圧することによって、紙継ぎ時に発生する該ウェブの弛みを該押圧箇所よりもウェブ搬送方向下流側に伝えないように構成されている
ことを特徴とする、請求項１記載の紙継ぎ装置。
【請求項４】
該押圧ロールを、該新ウェブロールの軸心に向かう姿勢のガイドレール上で進退させる
ことを特徴とする、請求項１〜３の何れか１項に記載の紙継ぎ装置。
【請求項５】
該ガイドロールを移動させる移動機構が設けられている
ことを特徴とする、請求項１〜４の何れか１項に記載の紙継ぎ装置。
【請求項６】
上記の一対のロールのうち一方のロールの回転を調整するブレーキ機構がそなえられている
ことを特徴とする、請求項３〜５の何れか１項に記載の紙継ぎ装置。
【発明の詳細な説明】
【０００１】
【発明の属する技術分野】
本発明は、抄紙機等において旧ウェブロールと新ウェブロールとの紙継ぎを行なう、紙継ぎ装置に関する。
【０００２】
【従来の技術】
抄紙機のリール部でロール状に巻き取られたロール原紙（ウェブ）は、後段のアンワインダに搬送されて巻き戻され、ワインダへと送給される。そして、このワインダにおいてウェブはスリッタにより所定の幅に裁断されて所定径に巻き取られる。
【０００３】
このようなアンワインダの一例としては、特公平２−１１４９３号公報に開示された技術がある。この技術を用いた例を、図５を参照して説明する。
ウェブは、抄紙機のリール部（図示略）においてスプールに巻き取られ、ウェブロールとしてアンワインダ２へと搬送される。そして、ウェブロール１Ａは、図示しない移送機構を用いてレール４上を移送されて、図５中に実線で示すようにウェブロール支持台５に載置される。ウェブロール支持台５は、ウェブロール１Ａの両側に設けられており、ウェブロール１Ａは、スプール３の両端部を、ウェブロール支持台５によりそれぞれ回転可能に支持される。
【０００４】
このウェブロール１Ａは矢印Ａ１で示すように送り出され、ウェブロール１Ａから送り出されたウェブ１はガイドロール９を介してワインダ６へと移送される。ワインダ６では、移送されるウェブ１が、スリッタ７により流れ方向（ウェブ１の移送方向）に沿って所定の幅に裁断された後、巻き取りロール８により所定の直径になるまで巻き取られ、ウェブロール１Ｄが形成される。
【０００５】
そして、ウェブロール１Ａが巻き戻されて、スプール３に巻回されるウェブ１の量が残り少なくなってウェブロール１Ｃの状態になると、アンワインダ２及びワインダ６による作業が一旦停止され、ウェブロール１Ａと新ウェブロール１Ｂとの入れ替えが行なわれた後、アンワインダ２及びワインダ６の作業が再開される。
【０００６】
以下、このようなウェブロールの交換方法について説明する。
図５及び図６に示すように、これらのウェブロール支持台５の両側にはそれぞれ近接して支柱１１が立設されている。なお、図５において手前側の支柱１１は、中間部から上を破断して示している。これらの各支柱１１には、昇降フレーム１２が上下方向に移動可能にそれぞれ取り付けられている。
【０００７】
各昇降フレーム１２は、ウェブロール支持台５に載置されたウェブロール１Ａのスプール３の両端を支持するよう配置され、また、各昇降フレーム１２には、昇降フレーム１２を支柱１１に沿って上下方向に駆動するための図示しない駆動機構がそなえられている。これにより、昇降フレーム１２は、ウェブロール１Ａをそのスプール３の両端で支持しており、この支持状態で支柱１１に沿ってウェブロール１Ａを昇降駆動することができる。
【０００８】
そして、図５において、ウェブロール支持台５上のウェブロール１Ａのウェブ量が残り少なくなって図５中に二点鎖線で示すようなウェブロール１Ｃの状態になると、昇降フレーム１２をスプール３の下方から上昇させ、昇降フレーム１２によりウェブロール１Ｃをウェブロール支持台５から上方に引き上げる。そして、ウェブロール１Ｃは、図５中に一点鎖線で示すように、レール４上で待機状態の新ウェブロール１Ｂをウェブロール支持台５に搬入可能な所定高さまで持ち上げられる。
【０００９】
そして、空になったウェブロール支持台５に、図５に示す待機中の新ウェブロール１Ｂがレール４上を移送され、図６に示すようにウェブロール支持台５にセットされる。そして、新ウェブロール１Ｂは、始端１ａがウェブ押圧装置１４よりもウェブロール１Ｂの回転方向上流側に位置するように回転位置が設定される。
【００１０】
ウェブ押圧装置１４は、支柱１１に対して一端を傾動可能に取り付けられたアーム１４ａ，アーム１４ａに回転可能に軸支されたウェブ継ぎロール１５及びアーム１４ａを駆動する図示しない駆動装置からなる。紙継ぎを行なう際には、ウェブ継ぎロール１５を、図６において、ウェブロール１Ｂから離隔した実線で示す状態から、アーム１４ａを駆動して二点鎖線で示すようにウェブロール１Ｂに押圧した状態とする。この状態で、巻き取りロール８（図５参照）を低速で回転させると、ウェブロール１Ｃ側のウェブ１を介し、ウェブロール１Ｂがウェブロール１Ｃと一体に回転駆動されることとなる。
【００１１】
ウェブロール１Ｂの始端１ａには、幅方向に沿って両面粘着テープ１３が貼り付けられており、この両面粘着テープ１３がウェブ継ぎロール１５のニップ部を通過すると、その押圧力でウェブロール１Ｂ，１Ｃからそれぞれ送り出されたウェブ１が両面粘着テープ１３を介して接合されて紙継ぎされる。そして、このように紙継ぎが行なわれると、支柱１１に取り付けられたウェブ切断装置１６により、ウェブロール１Ｃから送り出されたウェブ１が切断されて、ウェブロール１Ｂ，１Ｃの切離しが行なわれ、これによりウェブロールの交換が完了する。そして、その後、駆動ロール８によるウェブの巻き取り速度を徐々に上昇させて、アンワインダ２及びワインダ６を通常の運転状態に復帰させる。
【００１２】
なお、ウェブ切断装置１６は、刃部１６ａと刃部１６ａをウェブ１に対して進退させる駆動機構１６ｂとから構成され、待機中は、刃部１６ａをウェブ１のパスラインに対して退避させ、ウェブ切断時は、刃部１６ａをウェブ１に向けて移動させてウェブ１に当接させる。
また、通常、紙継時には、アンワインダ側のウェブロール１Ｂは、駆動ロール８により駆動される従動（連れ回り）側となるが、軽く駆動される場合もある。
【００１３】
また、図５及び図６に示す例では、ウェブロール１Ａ，１Ｂ，１Ｃは、矢印Ａ１で示すように反時計回りに回転駆動され、ウェブ１は、ウェブロール１Ａ，１Ｂ，１Ｃの上方から引き出されることとなる。したがって、図５及び図６に示すようにしてウェブ１を引き出すことを、以下、上引きという。
【００１４】
【発明が解決しようとする課題】
ところで、ウェブには表裏があり、ワインダ６で巻き取る際、ウェブの表を外側に向ける巻き方と、ウェブの表を内側に向ける巻き方とがあり、これらの巻き方はウェブの用途によって使い分けられる。
例えば、図５及び図６に示す例において、ウェブ１が表１ｂを外側に向けて巻回されてウェブロール１Ａ，１Ｂ，１Ｃが構成されているのであれば、ウェブロール１Ｄは、ウェブ１が表１ｂを外側に向けて巻回されて構成されることとなる。これとは逆に、ウェブ１の裏１ｃを外側に向けて巻回してウェブロール１Ｄを形成するためには、図７に示すように、ウェブ１を、裏１ｃを上方にしてワインダ６に向けて搬送すべく、ウェブロール１Ａ，１Ｂ，１Ｃを矢印Ａ２で示す方向に回転させるとともに、ウェブ１がウェブロール１Ａ，１Ｂ，１Ｃの下方から繰り出される（これを、以下では下引きという）ようにする必要がある。
【００１５】
しかしながら、上述した従来技術では、このように下引きを行なう場合に以下のような課題がある。
つまり、紙継ぎを行なう場合、図５及び図６に示すような上引き時には、接合部は、図６及び図９（ｂ）に示すようにウェブ１と粘着テープ１３とが重合される。これに対し、図７及び図８に示すような下引き時には、図８及び図９（ａ）に示すように、ウェブロール１Ｃ側のウェブ１と、ウェブロール１Ｂ側のウェブ１とが、互いに同じ面（ここでは表１ｂと表１ｂ）を向かい合わせて貼り合わされる。運転時にはウェブ１に引張力が作用するが、図９（ａ）に示す接合は引張力に対して接合強度が低く、接合部においてウェブ１，１が剥がれ易くなったり、或いは、ウェブ１に対する接着テープ１３の接着が不安定なものとなってウェブ１に対して偏って引張力が作用してウェブ１が破れ易くなったりするという課題がある。
【００１６】
また、下引きにて紙継ぎを行なうためには、先ず、図８に実線で示すように、新ウェブロール１Ｂ側のウェブ１の始端１ａを、ウェブ継ぎロール１５よりも矢印Ａ１方向上流側に位置させる。そして、上述したように、ウェブ継ぎロール１５により、ウェブロール１Ｂ側のウェブ１と旧ウェブロール１Ｃ側のウェブ１とをウェブロール１Ｂの周面に対して押圧するとともに、巻き取りロール８（図５参照）を低速で回転駆動する。これにより、新ウェブロール１Ｂは矢印Ａ１に示す方向に従動し、やがて、新ウェブロール１Ｂの始端１ａと、旧ウェブロール１Ｃ側のウェブ１とがウェブ継ぎロール１５により押圧されて接合される。
【００１７】
その後、接合部が、ウェブ継ぎロール１５とウェブロール１Ｂとの間を通過すると、かかる接合部は、図８中に一点鎖線で示すようにウェブロール１Ｂから滑落し、接合部周辺においてウェブ１に弛みが生じる。そして、このような状態において、巻き取りロール８を回転させて、ウェブ１を巻き取りロール８側に引っ張ると、かかる弛み部に、ウェブ１が弛んだ状態から引張状態に切り替わる際に強い衝撃が発生してウェブ１が破れてしまう虞がある。
【００１８】
また、ウェブ１に弛みがある状態で、アンワインダ２及びワインダ６の運転を再開すると、この弛みが後段の機器に影響し、例えば、ウェブ１の張力が不十分となってスリッタ７による断裁が不安定になる虞がある。
さらに、図８において、昇降フレーム１２により持ち上げられたウェブロール１Ｃからウェブ継ぎロール１５へのウェブパスラインは、上引きでは、二点鎖線で示すラインとなるのに対し、下引きでは実線で示すラインとなる。紙継ぎ時、ウェブ切断装置１６では、ウェブ１に向けて刃部１６ａを移動させてウェブ１を切断するようになっているが、このような刃部１６ａの移動量は、ここでは上引きの場合に対して設定されている。下引きでは、上引きに比べウェブパスラインがウェブ切断装置１６に対して離隔しているため、刃部１６ａが届かずにウェブ１を切断できなかったり、或いは、刃部１６ａが届いてもウェブ１の切断が不安定となったりする虞がある。
【００１９】
本発明は、このような課題に鑑み創案されたもので、紙継ぎを安定して行なえるとともに、紙継ぎ時に後段の機器への紙継ぎの影響を回避できるようにした、紙継ぎ装置を提供することを目的とする。
【００２０】
【課題を解決するための手段】
このため、請求項１記載の本発明の紙継ぎ装置は、旧ウェブロールから送り出されたウェブを新ウェブロールに押圧して、該旧ウェブロールと該新ウェブロールとを接合する押圧ロールと、該接合部よりもウェブ搬送方向上流側で該旧ウェブロールから送り出されたウェブを切断するウェブ切断手段と、該ウェブ切断手段よりもウェブ搬送方向上流側に設けられ、該旧ウェブロールから送り出された該ウェブを該ウェブ切断手段に近接させるガイドロールとをそなえ、該旧ウェブロールの下引き時におけるウェブ切断時に、該旧ウェブロールから該押圧ロールヘのウェブパスラインが、該旧ウェブロールの上引き時の該旧ウェブロールから該押圧ロールヘのウェブパスラインと重なるように、該ガイドロールによって該ウェブを該ウェブ切断手段側に押し込むことを特徴としている。
【００２１】
請求項２記載の本発明の紙継ぎ装置は、請求項１記載の紙継ぎ装置において、紙継ぎ時に該接合部よりもウェブ搬送方向下流側において該ウェブの両面を押圧することによって、紙継ぎ時に発生する該ウェブの弛みを該押圧箇所よりもウェブ搬送方向下流側に伝えないように構成されていることを特徴としている。
請求項３記載の本発明の紙継ぎ装置は、請求項１記載の紙継ぎ装置において、紙継ぎ時に該接合部よりもウェブ搬送方向下流側において該ウェブの両面を一対のローラのニップにより押圧することによって、紙継ぎ時に発生する該ウェブの弛みを該押圧箇所よりもウェブ搬送方向下流側に伝えないように構成されていることを特徴としている。
請求項４記載の本発明の紙継ぎ装置は、請求項１〜３の何れか１項に記載の紙継ぎ装置において、該押圧ロールを、該新ウェブロールの軸心に向かう姿勢のガイドレール上で進退させることを特徴としている。
【００２２】
請求項５記載の本発明の紙継ぎ装置は、請求項１〜４の何れか１項に記載の紙継ぎ装置において、該ガイドロールを移動させる移動機構が設けられていることを特徴としている。
【００２３】
請求項６記載の本発明の紙継ぎ装置は、請求項３〜５の何れか１項に記載の紙継ぎ装置において、上記の一対のロールのうち一方のロールの回転を調整するブレーキ機構がそなえられていることを特徴としている。
【００２４】
【発明の実施の形態】
以下、図面を参照して本発明の実施の形態について説明する。
まず、本発明の第１実施形態としての紙継ぎ装置について説明すると、図１〜図３は本発明の第１実施形態としての紙継ぎ装置について示す図であり、図１はその構成を示す模式的な側面図、図２はその紙継ぎ方法を説明するための新ウェブロールの折り返し部の構成を示す模式的な斜視図、図３はそのウェブロールの駆動機構の構成を示す模式的な平面図である。
【００２５】
なお、従来技術として上述した部材については同一の符号を付しその説明を省略する。
本発明の第１実施形態としての紙継ぎ装置５０が装備されるアンワインダ２は、上述した従来装置と同様に構成されている。つまり、アンワインダ２は、図１に示すように、ウェブロールを回転可能に支持するウェブロール支持台５と、ウェブロール支持台５の上流側に略水平に設けられた１対のレール４と、レール４の上流端にセットされた新ウェブロール（図示略）をウェブロール支持台５に搬送すべくレール４上に走行可能に取り付けられた台車（図示略）と、支柱１１に昇降可能に支持され旧ウェブロール１Ｃを回転可能に支持する１対の支持アーム１２とをそなえて構成されている。
【００２６】
そして、紙継ぎ装置５０は、ウェブ継ぎロール（押圧ロール）１５を有するウェブ押圧装置１４と、ウェブ切断装置（ウェブ切断手段）１６と、支柱１１に突設されるサポートフレーム３０に取り付けられたガイドロール３１と、新ウェブロール１Ｂと旧ウェブロール１Ｃとの接合部よりも下流側においてウェブ１を押圧すべくガイドロール９に対向して設けられる押さえロール１０とをそなえて構成されている。
【００２７】
従来技術として上述したが、ウェブ押圧装置１４には図示しない駆動装置が設けられており、この駆動装置により、先端のウェブ継ぎロール１５を、新ウェブロール１Ｂに対して離接できるようになっている。
また、ガイドロール３１は、サポートフレーム３０に設置されたアクチュエータ（移動機構、ここでは油圧シリンダ，エアシリンダ等の流体圧シリンダ）３２の駆動軸３２ａに取り付けられている。アクチュエータ３２は、旧ウェブロール１Ｃから送り出されたウェブ１を挟んでウェブ切断装置１６に対向して設けられており、駆動軸３２ａを伸縮させることで、ガイドロール３１によりウェブ１のパスラインをウェブ切断装置１６に近接させることができるようになっている。
【００２８】
また、押さえロール１０には、図示しない移動機構がそなえられており、この移動機構により、図１において、通常運転時には実線で示すようにガイドロール９から離隔させ、紙継ぎ時には破線で示すようにガイドロール９に押圧させるようになっている。従来技術の課題として説明したが、下引き時においては、紙継ぎ時に、破線で示すように接合部の周辺においてウェブ１に弛みが発生するため、ロール９，１０によりウェブ１を押圧することで、この弛みが、巻き取りロール８側（ワインダ６側）に影響を及ぼさないようにしている。また、押さえロール１０の軸端には、図示しないブレーキ機構が設けられており、このブレーキ機構により押さえロール１０の回転を調整できるようになっている。
【００２９】
また、図１では省略しているが、図３に示すように、ウェブロール支持台５上のウェブロール１Ａ，１Ｂ，１Ｃを駆動するためのモータ２２が、ウェブロール支持台５の側方においてモータ台２１に載置されている。モータ２２の駆動軸２２ａは接手２５を介して移動台２３上の回転軸２４の一端に接続されており、接手２５は例えばスプラインが設けられる等して軸方向に摺動可能になっている。回転軸２４の他端には外歯歯車状の接手２６が取り付けられており、この接手２６を、スプール３の端部の内歯歯車状の接手部と噛み合わせることにより、ウェブロール１Ａ，１Ｂ，１Ｃがモータ２２により回転駆動されるようになっている。
【００３０】
また、下引き時は、新ウェブロール１Ｂをウェブロール支持台５に設置する前に、図２において、一点鎖線で示す新ウェブロール１Ｂの始端１ａを所定の幅Ｌで外方に折り返して、実線で示すように予め折り返し部１ａとして形成しておく。そして、折り返し部１ａの外側（旧ウェブロール１Ｃから送り出されるウェブ１に面する側）には、折り返し部１ａの幅よりも小さい幅で両面粘着テープ１３が貼り付けられており、折り返し部１ａが接着部として機能するようになっている。
【００３１】
なお、折り返し幅Ｌは両面粘着テープ１３の幅以上であればよく、設計条件に応じて適宜に設定される。また、両面粘着テープ１３を用いる代わりに折り返し部１ａに接着剤を塗布して接着部を形成しても良い。
なお、折り返し部１ａの両側端は粘着テープ３４（図２参照、図１では省略）等で軽く仮止めされる。
【００３２】
そして、図１に示すように、折り返し部１ａを、ウェブ継ぎロール１５のニップ部よりも紙継ぎ時における新ウェブロール１Ｂの回転方向（矢印Ａ１で示す方向）上流側に位置させた後、ウェブ継ぎロール１５を新ウェブロール１Ｂに押圧する。次いで、巻き取りロール８を時計回りに回転させることにより、旧ウェブロール１Ｃから送り出されたウェブ１が巻き取りロール８側へと搬送されるとともに、ウェブ継ぎロール１５によりかかるウェブ１に圧接される新ウェブロール１Ｂのウェブ１が巻き取りロール８側へと搬送されるようになっている。
【００３３】
そして、新ウェブロール１Ｂの折り返し部１ａがウェブ継ぎロール１５を通過する際に押圧され、これにより、折り返し部１ａに設けられた両面粘着テープ１３を介して新ウェブロール１Ｂと旧ウェブロール１Ｃとが接合されるようになっている。
この時、新ウェブロール１Ｂに折り返し部１ａを設けることにより、旧ウェブロール１Ｃ側のウェブ１の面１ｂと、新ウェブロール１Ｂ側のウェブ１の面１ｃとが向き合って貼り付けられる（旧ウェブロール１Ｃ側のウェブ１と新ウェブロール１Ｂ側のウェブ１とが、互いに表裏反対で向き合うように貼り付けられる）。即ち、図９（ｂ）に示すように接合されるようにして、かかる接合部（接合部）における引っ張り強度を向上させるようにしているのである。
【００３４】
本発明の第１実施形態としての紙継ぎ装置５０は上述したように構成されるので、下引き時、以下の方法（本発明の第１実施形態にかかる紙継ぎ方法）により新ウェブロールと旧ウェブロール１Ｃとの紙継ぎが行なわれる。
つまり、巻き取りロール８及び旧ウェブロール１Ｃの回転が停止された後、旧ウェブロール１Ｃが昇降フレーム１２によりウェブロール支持台５から上方に持ち上げられ、その後、ウェブロール支持台５に新ウェブロール１Ｂが設置される。そして、新ウェブロール１Ｂの回転位置を調整して、新ウェブロール１Ｂの始端（折り返し部）１ａを、図１に示すように、ウェブ継ぎロール１５のニップ部よりも上流側に位置させる（この時点では、ウェブ継ぎロール１５はウェブロール１Ｂから離隔している）。
【００３５】
そして、ウェブ継ぎロール１５を新ウェブロール１Ｂに押圧させた後、駆動ロール８を作動させて、旧ウェブロール１Ｃ側のウェブ１及び新ウェブロール１Ｂ側のウェブ１を、図中に矢印Ｂ１で示す方向へ送る。そして、ウェブ継ぎロール１５のニップ部において、新ウェブロール１Ｂの折り返し部１ａが旧ウェブロール１Ｃ側のウェブ１に押圧され、折り返し部１ａに貼り付けられた両面粘着テープ１３を介して、新ウェブロール１Ｂと旧ウェブロール１Ｃとが接合される。
【００３６】
この際、上述したように、新ウェブロール１Ｂと旧ウェブロール１Ｃとの接合部は、上引き時と同様に、図９（ｂ）に示すように貼り付けられるようになる。したがって、図９（ａ）に示す従来装置における下引き時の接合部に比べ接合部の引っ張り強度を向上させて、接合部が剥がれてしまったり破れてしまったりすることを防止できるという利点がある。
【００３７】
そして、旧ウェブロール１Ｃからウェブ継ぎロール１５へのウェブパスラインのうち少なくともガイドロール３１よりもウェブ搬送方向下流側のウェブパスラインが、図１中に二点鎖線で示す上引き時のウェブパスラインと重なるように、アクチュエータ３２の駆動軸３２ａを伸長させてガイドロール３１によりウェブ１をウェブ切断装置１６側に押し込む。これにより、下引き時においてもウェブ切断装置１６により安定してウェブ１を切断できるという利点がある。
【００３８】
そして、ウェブ切断装置１６により旧ウェブロール１Ｃ側のウェブ１が切断されて紙継ぎが完了した後、新ウェブロール１Ｂの回転にともない、かかる接合部は、ウェブ継ぎロール１５のニップ部を通過して新ウェブロール１Ｂの胴部から滑落し、これにより、接合部付近が図１中に破線で示すように弛んだ状態となる。
【００３９】
このとき、押さえロール１０は、図示しない駆動装置により、図１中に破線で示すようにガイドロール９に押圧される。これにより、かかる弛みが、ガイドロール９の下流側（ワインダ６）に悪影響を及ぼすことを防止できるという利点がある。
また、従来技術の課題として上述したが、このようにウェブ１が弛んだ状態で駆動ロール８を作動させて矢印Ｂ１で示す方向へのウェブ１の搬送を再開すると、このウェブ１が弛んだ状態から引っ張り状態へと切り替わった瞬間に、ウェブ１に大きな衝撃が発生し、ウェブ１が破れてしまう虞がある。
【００４０】
そこで、本実施形態にかかる紙継ぎ方法では、旧ウェブロールの切断後、通常運転を再開する前に、モータ２２（図３参照）を作動させて新ウェブロール１Ｂを図中に矢印Ａ１で示す方向に低速度で反転させて、かかる弛みを取り除く。その後、駆動ロール８を低回転速度から通常回転速度に復帰させて、新ウェブロール１Ｂを矢印Ａ２で示す方向に正転させて、ワインダ６による通常の巻き取り作業を再開する。したがって、紙継ぎにより発生するウェブ１の弛みに起因してウェブ１が破れてしまうことを防止できるという利点がある。
【００４１】
なお、図２に示す粘着テープ３４は、折り返し部１ａがワインダ６側に送り出されて旧ウェブロール１Ｂから離隔するのに応じてはがれるか、或いは、紙継ぎ終了後、所定のタイミングで作業者によりはがされる。
次に、本発明の第２実施形態としての紙継ぎ装置について説明する。図４は本発明の第２実施形態としての紙継ぎ装置の構成を示す模式的な側面図である。なお、従来技術及び第１実施形態で上述した部材については同一の符号を付しその説明を省略する。
【００４２】
上述の第１実施形態では、図１に示すように、ウェブ継ぎロール１５は、支柱１１に揺動可能に支持されたアーム１４ａの揺動端に取り付けられているが、このような構成では、ウェブ継ぎロール１５により押圧しうる新ウェブロール１Ｂの直径は、アーム１４ａの長さに応じた極僅かな範囲に限定されてしまう。
即ち、比較的直径の大きな新ウェブロールに対して適用できるようにアーム１４ａを短めに設定すると、新ウェブロールの径が比較的小さい場合には、ウェブ継ぎロール１５が新ウェブロールに届かず、一方、比較的直径の小さな新ウェブロールに対して適用できるようにアーム１４ａを長めに設定すると、新ウェブロールの径が比較的大きい場合には、アーム１４ａが新ウェブロールに当接してしまいウェブ継ぎロール１５を新ウェブロールに押圧できないのである。
【００４３】
そこで、本発明の第２実施形態としての紙継ぎ装置６０は、広い範囲において異なる直径のウェブロールに対して紙継ぎを行なえるよう、図１に示す第１実施形態の紙継ぎ装置５０に対し、図４に示すように、ウェブ継ぎロール１５を新ウェブロール１Ｂの周面に対して略垂直に直線上に進退可能に構成されている。
つまり、本実施形態の紙継ぎ装置６０は、各支柱１１に固定された１対のガイドレール４０と、各ガイドレール４０に摺動可能に設けられる移動台４１と、移動台４１，４１に掛け渡されるウェブ継ぎロール（押圧ロール）１５，ウェブ切断装置１６及びガイドロール４５と、下引き時に旧ウェブロール１Ｃから送り出されるウェブ１をウェブ切断装置１６側に押し込むためのガイドロール３１とをそなえて構成されている。
【００４４】
ガイドレール４０は、新ウェブロール１Ｂの両側方において新ウェブロール１Ｂの軸心に向かう姿勢で各支柱１１に固定されており、また、移動台４１には図示しない駆動機構がそなえられている。したがって、駆動機構を用いて移動台４１をガイドレール４０上で移動させることにより、移動台４１に取り付けられたウェブ継ぎロール１５，ウェブ切断装置１６及びガイドロール４５を、新ウェブロール１Ｂの周面に対して略垂直に且つ直線上に進退させることが可能になっているのである。
【００４５】
なお、ガイドロール４５は、ガイドロール３１によりウェブ切断装置１６側に押し込まれたウェブ１のパスラインを安定させるためのものである。
また、上述の第１実施形態では、ガイドロール３１をウェブ切断装置１６側に移動させる移動機構が、流体圧シリンダにより構成されているが、本実施形態では、かかる移動機構が、ガイドレール４３と、ガイドロール３１が取り付けられガイドレール４３上を摺動する移動台４４とをそなえて構成されている。
【００４６】
ガイドレール４３は、ウェブ１を挟んでウェブ切断装置１６に対向して且つ略水平に支柱４２に支持されている。そして、移動台４４にそなえられた図示しない駆動機構により移動台４４をガイドレール４３上で移動させることで、ガイドロール３１により旧ウェブロール１Ｃから送り出されたウェブ１のパスラインをウェブ切断装置１６側に移行させるようになっている。
【００４７】
本発明の第２実施形態としての紙継ぎ装置６０は上述のように構成されており、第１実施形態と略同様に紙継ぎが行なわれる。この際、ウェブ継ぎロール１５を、新ウェブロール１Ｂの周面に対して略垂直に移動させることができるので、大きなストロークで新ウェブロール１Ｂに対して移動させることができる。したがって、図４中において、実線で示す新ウェブロール１Ｂと一点鎖線で示す新ウェブロール１Ｂのように大きく直径の異なる新ウェブロールに対して、旧ウェブロール１Ｃから送り出されたウェブ１を押圧して紙継ぎを行なうことができるという利点がある。
【００４８】
なお、本発明の紙継ぎ装置は、上述の各実施形態に限定されず、発明の趣旨を逸脱しない範囲で種々の変形を行なうことが可能である。
例えば、上述の各実施形態ではガイドロール３１を旧ウェブロール１Ｃから送り出されたウェブ１に対して直線的に進退するよう構成しているが、ガイドロール３１は、かかるウェブをウェブ切断装置１６に近接させる構成で有れば良く、アームの揺動端にガイドロール３１を取り付け、アームを揺動させてウェブをウェブ切断装置１６に近接させるようにしても良い。
【００４９】
【発明の効果】
以上詳述したように、請求項１記載の本発明の紙継ぎ装置によれば、旧ウェブロールの下引き時におけるウェブ切断時に、旧ウェブロールから押圧ロールヘのウェブパスラインが、旧ウェブロールの上引き時の旧ウェブロールから押圧ロールヘのウェブパスラインと重なるように、ガイドロールによってウェブをウェブ切断手段側に押し込むので、ウェブ切断手段によりウェブを安定して切断することができ、紙継ぎを安定して行なえるという利点がある。
【００５０】
請求項２記載の本発明の紙継ぎ装置によれば、紙継ぎ時に接合部よりもウェブ搬送方向下流側においてウェブの両面を押圧することによって、紙継ぎ時に発生するウェブの弛みを押圧箇所よりもウェブ搬送方向下流側に伝えないように構成されているので、紙継ぎ時に後段の機器への紙継ぎの影響を回避できるという利点がある。
請求項３記載の本発明の紙継ぎ装置によれば、紙継ぎ時に接合部よりもウェブ搬送方向下流側においてウェブの両面を一対のローラのニップにより押圧することによって、紙継ぎ時に発生するウェブの弛みを押圧箇所よりもウェブ搬送方向下流側に伝えないように構成されているので、紙継ぎ時に後段の機器への紙継ぎの影響を回避できるという利点がある。
請求項４記載の本発明の紙継ぎ装置によれば、押圧ロールを、新ウェブロールの軸心に向かう姿勢のガイドレール上で進退させるので、広い範囲で径の異なるウェブロールに対して紙継ぎを行なえるという利点がある。
【００５１】
請求項５記載の本発明の紙継ぎ装置によれば、移動機構によりガイドロールを移動させることで、ガイドロールにより、旧ウェブロールから送り出されたウェブをウェブ切断手段に安定して近接させることができるという利点がある。
【図面の簡単な説明】
【図１】本発明の第１実施形態としての紙継ぎ装置，アンワインダ及びワインダの構成を示す模式的な側面図である。
【図２】本発明の第１実施形態にかかる紙継ぎ方法を説明するための新ウェブロールの折り返し部の構成を示す模式的な斜視図である。
【図３】本発明の第１実施形態としての紙継ぎ装置にかかるウェブロール支持台上のウェブロールの駆動機構の構成を示す模式的な平面図である。
【図４】本発明の第２実施形態としての紙継ぎ装置の構成を示す模式的な側面図である。
【図５】従来の紙継ぎ装置，アンワインダ及びワインダの全体構成を示す模式的な側面図である。
【図６】従来の紙継ぎ装置における紙継ぎ方法を説明するための図であって紙継ぎ装置及びアンワインダの構成を示す模式的な側面図である。
【図７】従来の紙継ぎ装置における下引き時の紙継ぎを説明するための図であって、紙継ぎ装置及びアンワインダの構成を示す模式的な側面図である（支柱１１，昇降フレーム１２，ウェブ押圧装置１４及びウェブ切断装置１６は図示略）。
【図８】従来の紙継ぎ装置の課題を説明するための図であって、下引き持における紙継ぎ装置及びアンワインダの構造を示す模式的な側面図である。
【図９】従来の紙継ぎ装置による接合部の接合状態を拡大して示す模式的な側面図であって、（ａ）は下引き時を示す図、（ｂ）は上引き時を示す図である。
【符号の説明】
１  ウェブ
１Ａ  ウェブロール支持台上で巻出中のウェブロール
１Ｂ  新ウェブロール
１Ｃ  旧ウェブロール
１ａ  折り返し部
２  アンワインダ
３  スプール
４  レール
５  ウェブロール支持台
６  ワインダ
７  スリッタ
８  巻き取りロール
９  ガイドロール
１０  ウェブ押さえロール
１１  支柱
１２  昇降フレーム
１３  両面粘着テープ
１４  ウェブ押圧装置
１４ａ  アーム
１５  ウェブ継ぎロール（押圧ロール）
１６  ウェブ切断装置（ウェブ切断手段）
１６ａ  刃部
１６ｂ  駆動機構
２０  駆動装置
２１  モータ台
２２  モータ
２２ａ  駆動軸
２３  移動台
２４  軸
２５  接手
２６  接手
３０  サポートフレーム
３１  ガイドロール
３２  流体圧シリンダ（移動機構）
３２ａ  駆動軸
３４  粘着テープ
４０  ガイドレール
４１  移動台
４２  支柱
４３  ガイドレール
４４  移動台
４５  ガイドロール
５０，６０  紙継ぎ装置
【図１】
0003621878.tif 000002
【図２】
0003621878.tif 000003
【図３】
0003621878.tif 000004
【図４】
0003621878.tif 000005
【図５】
0003621878.tif 000006
【図６】
0003621878.tif 000007
【図７】
0003621878.tif 000008
【図８】
0003621878.tif 000009
【図９】
0003621878.tif 000010